(57)【特許請求の範囲】
【請求項１】
複数の作業工程のそれぞれの作業内容を示す複数の作業工程データを格納する作業工程データ格納部と、
前記複数の作業工程データのうちの少なくとも１つの作業工程データを用いて生成された作業手順データを格納する作業手順データ格納部と、
前記作業工程データ格納部に格納されている作業工程データが変更された場合に、変更された前記作業工程データの変更内容に対応させて、変更された前記作業工程データを用いて生成された前記作業手順データを更新するデータ更新部と
複数の単位作業のそれぞれの作業内容を示す複数の作業部品データテーブルを格納する作業部品データ格納部と
を備え、
前記作業工程データ格納部に格納された作業工程データのうち、前記作業工程データが示す作業内容の実施の実績のある作業工程データには作業可が登録され、実績のある作業工程データが示す作業内容を実施した結果、不具合が発生した場合、作業工程データに対して作業不可が登録される、作業手順管理装置。
【請求項２】
前記作業工程データ格納部は、前記複数の単位作業のうちの少なくとも１つの単位作業をそれぞれ含む前記複数の作業工程のそれぞれの作業内容を示す前記複数の作業工程データを格納し、
前記作業手順データ格納部は、前記少なくとも１つの作業工程データ、及び前記少なくとも１つの単位作業のそれぞれの作業内容を示す少なくとも１つの作業部品データを用いて生成された前記作業手順データを格納し、
前記データ更新部は、前記作業部品データ格納部に格納されている作業部品データが変更された場合に、変更された前記作業部品データの変更内容に対応させて、変更された前記作業部品データを用いて生成された前記作業手順データを更新する、
請求項１に記載の作業手順管理装置。
【請求項３】
前記作業手順データ格納部は、前記複数の作業工程データのうちの２以上の作業工程データによって構成される工程データグループを用いて生成された前記作業手順データを格納し、
前記データ更新部は、前記工程データグループに含まれる複数の作業工程データの順番が変更された場合に、変更された前記工程データグループの変更内容に対応させて、変更された前記工程データグループを用いて生成された前記作業手順データを更新する、請求項１又は２に記載の作業手順管理装置。
【請求項４】
前記作業工程データ格納部は、複数の前記作業工程データのそれぞれに作業の可否を示す作業可否データを対応付けて格納し、
前記作業手順データ格納部は、前記作業手順データを生成するために用いられた全ての作業工程データに対応付けられた前記作業可否データが作業可を示す場合、前記作業手順データに作業可を示す作業可否データを対応付け、前記作業手順データを生成するために用いられた少なくとも一つの作業可否データに対応付けられた前記作業可否データが作業不可を示す場合、前記作業手順データに作業不可を示す作業可否データを対応付ける、請求項１から３のいずれか一項に記載の作業手順管理装置。
【請求項５】
複数の前記作業手順データのうち、対応する作業が実施されている作業手順データを特定する作業手順データ特定部と、
前記作業手順データ特定部によって特定された前記作業手順データを生成するために用いられた少なくともいずれかの作業工程データが変更された場合に、前記特定された前記作業手順データに対応する前記作業を停止させる作業停止制御部と
をさらに備える、請求項１から４のいずれか一項に記載の作業手順管理装置。
【請求項６】
コンピュータを、請求項１から５のいずれか一項に記載の作業手順管理装置として機能させるためのプログラム。
【発明の詳細な説明】
【技術分野】
【０００１】
本発明は、作業手順管理装置及びプログラムに関する。
【背景技術】
【０００２】
作業の手順を示す作業手順書を作成する手順書作成方法が知られていた（例えば、特許文献１参照）。
［先行技術文献］
［特許文献］
［特許文献１］特開２００１−２４３４８５号公報
【発明の概要】
【発明が解決しようとする課題】
【０００３】
作成された複数の作業手順書を効率的に管理できる技術が望まれていた。
【課題を解決するための手段】
【０００４】
本発明の第１の態様によれば、複数の作業工程のそれぞれの作業内容を示す複数の作業工程データを格納する作業工程データ格納部と、複数の作業工程データのうちの少なくとも１つの作業工程データを用いて生成された作業手順データを格納する作業手順データ格納部と、作業工程データ格納部に格納されている作業工程データが変更された場合に、変更された作業工程データの変更内容に対応させて、変更された作業工程データを用いて生成された作業手順データを更新するデータ更新部とを備える作業手順管理装置が提供される。
【０００５】
上記作業手順管理装置は、複数の単位作業のそれぞれの作業内容を示す複数の作業部品データを格納する作業部品データ格納部をさらに備えてよく、作業工程データ格納部は、複数の単位作業のうちの少なくとも１つの単位作業をそれぞれ含む複数の作業工程のそれぞれの作業内容を示す複数の作業工程データを格納してよく、作業手順データ格納部は、少なくとも１つの作業工程データ、及び少なくとも１つの単位作業のそれぞれの作業内容を示す少なくとも１つの作業部品データを用いて生成された作業手順データを格納してよく、データ更新部は、作業部品データ格納部に格納されている作業部品データが変更された場合に、変更された作業部品データの変更内容に対応させて、変更された作業部品データを用いて生成された作業手順データを更新してよい。また、上記作業手順管理装置において、作業手順データ格納部は、複数の作業工程データのうちの２以上の作業工程データによって構成される工程データグループを用いて生成された作業手順データを格納してよく、データ更新部は、工程データグループに含まれる複数の作業工程データの順番が変更された場合に、変更された工程データグループの変更内容に対応させて、変更された工程データグループを用いて生成された作業手順データを更新してよい。
【０００６】
上記作業手順管理装置において、作業工程データ格納部は、複数の作業工程データのそれぞれに作業の可否を示す作業可否データを対応付けて格納してよく、作業手順データ格納部は、作業手順データを生成するために用いられた全ての作業工程データに対応付けられた作業可否データが作業可を示す場合、作業手順データに作業可を示す作業可否データを対応付け、作業手順データを生成するために用いられた少なくとも一つの作業可否データに対応付けられた作業可否データが作業不可を示す場合、作業手順データに作業負荷を示す作業可否データを対応付けてよい。また、上記作業手順管理装置は、複数の作業手順データのうち、対応する作業が実施されている作業手順データを特定する作業手順データ特定部と、作業手順データ特定部によって特定された作業手順データを生成するために用いられた少なくともいずれかの作業工程データが変更された場合に、特定された作業手順データに対応する作業を停止させる作業停止制御部とをさらに備えてよい。
【０００７】
本発明の第２の態様によれば、コンピュータを、上記作業手順管理装置として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】作業手順管理装置の通信環境の一例を概略的に示す。
【図２】作業手順管理装置の機能構成の一例を概略的に示す。
【図３】作業部品データテーブルの一例を概略的に示す。
【図４】作業工程データテーブルの一例を概略的に示す。
【図５】作業手順データテーブルの一例を概略的に示す。
【図６】作業手順管理装置による処理の流れの一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、作業手順管理装置１００の通信環境の一例を概略的に示す。本実施形態に係る作業手順管理装置１００は、作業の手順が登録された作業手順データを管理する。作業とは、任意の作業であってよく、例えば、通信装置の設定作業及び修復作業等である。
【００１２】
作業手順管理装置１００は、複数の作業工程のそれぞれの作業内容を示す複数の作業工程データを格納する作業工程データ格納部１０４と、複数の作業工程データのうちの少なくとも１つの作業工程データを用いて生成された作業手順データを格納する作業手順データ格納部１１０とを備える。作業手順データは、例えば、複数の作業工程の少なくとも１つの作業内容を示すテキストデータを含む。また、作業手順データは、複数の作業工程の少なくとも１つの作業内容を示す画像データ及び音声データ等を含んでもよい。
【００１３】
作業手順管理装置１００は、ネットワーク１０を介して、複数の情報端末２００と通信する。ネットワーク１０は、社内ＬＡＮ等の専用網、インターネット及び電話網の少なくともいずれかを含んでよい。情報端末２００は、通信可能な装置であればどのような装置であってもよく、例えば、ＰＣ（Ｐｅｒｓｏｎａｌ  Ｃｏｍｐｕｔｅｒ）、タブレット端末、及びスマートフォン等の携帯電話等である。
【００１４】
作業手順管理装置１００は、作業手順データ格納部１１０に格納された作業手順データを情報端末２００に送信してよい。情報端末２００は、作業手順管理装置１００から受信した作業手順データを出力する。例えば、情報端末２００は、作業手順データを表示出力する。作業者は、情報端末２００によって表示された作業手順データを閲覧することにより、作業内容を把握する。
【００１５】
作業手順管理装置１００は、作業工程データが示す作業内容によって不具合が発生したこと等を理由に当該作業工程データが変更された場合に、変更された作業工程データの変更内容に対応させて、変更された作業工程データを用いて生成された作業手順データを更新する。変更された作業工程データの変更内容に対応させて作業手順データを更新するとは、例えば、作業手順データに対して、当該変更内容と同一の変更を加えることである。
【００１６】
作業手順管理装置１００は、作業手順データ格納部１１０に格納された作業手順データを更新するとともに、情報端末２００に対して送信した作業手順データも更新する。例えば、作業手順管理装置１００は、作業手順データを更新する指示を情報端末２００に送信することによって、作業手順データを更新させる。これにより、情報端末２００に送信した作業手順データを閲覧した作業者が、作業手順データに含まれる、不具合が発生した作業内容を実施してしまうことを防止できる。
【００１７】
図２は、作業手順管理装置１００の機能構成の一例を概略的に示す。作業手順管理装置１００は、作業部品データ格納部１０２、作業工程データ格納部１０４、作業手順データ生成部１０６、作業手順データ格納部１１０、作業手順データ送信部１１２、作業部品データ変更部１１４、作業工程データ変更部１１６、作業手順データ変更部１１８、データ更新部１２０、作業手順データ特定部１２２及び作業停止制御部１２４を備える。なお、作業手順管理装置１００がこれらのすべての構成を備えることは必須とは限らない。
【００１８】
作業部品データ格納部１０２は、複数の単位作業のそれぞれの作業内容を示す複数の作業部品データを格納する。単位作業とは、一つの作業目的を遂行する最小の作業区分であってよい。例えば、通信装置の設定を行うにあたり、現在の設定を確認する作業目的における単位作業は、一つのコマンドを入力すること及び通信装置からの出力を確認すること等である。
【００１９】
作業工程データ格納部１０４は、作業工程データを格納する。作業工程データ格納部１０４は、複数の単位作業のうちの少なくとも１つの単位作業をそれぞれ含む複数の作業工程のそれぞれの作業内容を示す複数の作業工程データを格納してよい。例えば、作業工程データは、複数の単位作業を含む作業工程の作業内容を示す。
【００２０】
作業工程データは、例えば、複数の作業部品データのそれぞれを識別する複数の部品データ識別情報を含む。作業工程データを生成する生成者は、作業部品データ格納部１０２に格納された複数の作業部品データから、２以上の作業部品データを選択することによって、選択した作業部品データの部品データ識別情報を含む作業工程データを生成してよい。
【００２１】
また、作業工程データは、複数の作業部品データのそれぞれが示す単位作業の作業内容をそれぞれ示す複数のデータを含んでもよい。複数の作業部品データのそれぞれが示す単位作業の作業内容をそれぞれ示す複数のデータのそれぞれはテキストデータ、画像データ及び音声データのいずれかであってよい。画像データは、静止画像データであっても、動画像データであってもよい。作業工程データを生成する生成者は、作業部品データ格納部１０２に格納された複数の作業部品データから、２以上の作業部品データを選択することによって、選択した作業部品データが示す作業内容を示す複数のデータを含む作業工程データを生成してよい。
【００２２】
作業工程データを生成する生成者は、作業手順管理装置１００を直接操作したり、ネットワーク１０を介して操作したりすることによって、作業工程データを生成してよい。また、当該生成者は、情報端末２００を用いて、作業工程データを生成してもよい。
【００２３】
作業手順データ生成部１０６は、作業手順データを生成する。作業手順データ生成部１０６は、例えば、作業工程データ格納部１０４に格納された複数の作業工程データから選択された２以上の作業工程データを用いて作業手順データを生成する。
【００２４】
作業手順データを生成する生成者は、作業手順管理装置１００を直接操作したり、ネットワーク１０を介して操作したりすることによって、２以上の作業工程データを選択してよい。また、当該生成者は、情報端末２００を用いて、２以上の作業工程データを選択してもよい。
【００２５】
作業手順データ生成部１０６は、２以上の作業工程データのそれぞれに含まれるデータを組み合わせることによって、作業手順データを生成してよい。２以上の作業工程データのそれぞれに含まれるデータは、テキストデータ、画像データ及び音声データのいずれかであってよい。また、作業手順データ生成部１０６は、２以上の作業工程データのそれぞれに含まれる複数の部品データ識別情報を用いて、複数の作業部品データを特定し、特定した複数の作業部品データのそれぞれが示す作業内容を組み合わせることによって、作業手順データを生成してよい。
【００２６】
作業手順データ格納部１１０は、作業手順データ生成部１０６によって生成された作業手順データを格納する。作業手順データ格納部１１０は、作業手順データを識別する手順データ識別情報を対応付けて作業手順データを格納してよい。
【００２７】
作業手順データ送信部１１２は、作業手順データ格納部１１０に格納された作業手順データを送信する。作業手順データ送信部１１２は、作業手順データ格納部１１０に格納された複数の作業手順データのうち、情報端末２００によって選択された作業手順データを情報端末２００に送信してよい。作業手順データ送信部１１２は、作業手順データを送信した場合、送信した作業手順データの手順データ識別情報と、作業手順データを送信した送信先を識別する送信先識別情報とを対応付けて、送信履歴として記憶してよい。
【００２８】
作業部品データ変更部１１４は、作業部品データ格納部１０２に格納された作業部品データを変更する。作業部品データ変更部１１４は、作業部品データを変更する変更者の指示に従って、作業部品データを変更してよい。当該変更者は、例えば、作業部品データが示す作業内容を実施した結果、不具合が発生した場合等に、当該作業部品データの変更を指示する。
【００２９】
作業工程データ変更部１１６は、作業工程データ格納部１０４に格納された作業工程データを変更する。作業工程データ変更部１１６は、作業工程データを変更する変更者の指示に従って、作業工程データを変更してよい。当該変更者は、例えば、作業工程データが示す作業内容を実施した結果、不具合が発生した場合等に、当該作業工程データの変更を指示する。
【００３０】
また、作業工程データ変更部１１６は、作業部品データ変更部１１４によって作業部品データが変更された場合に、変更された作業部品データが示す単位作業を含む作業工程の作業内容を含む作業工程データを変更してよい。
【００３１】
作業手順データ変更部１１８は、作業手順データ格納部１１０に格納された作業手順データを変更する。作業手順データ変更部１１８は、作業工程データ格納部１０４に格納された複数の作業工程データのうちの２以上の作業工程データによって構成される工程データグループに含まれる複数の作業工程データの順番が変更された場合に、変更された工程データグループの変更内容に対応させて、変更された工程データグループを用いて生成された作業手順データを更新する。
【００３２】
作業手順データ変更部１１８は、作業手順データを変更する変更者の指示に従って、作業手順データを変更してよい。当該変更者は、例えば、工程データグループが示す順番で作業手順を実施した場合に不具合が発生し、順番を変更することによって不具合の発生を防止できた場合に、工程データグループに含まれる複数の作業工程データの順番を、不具合が発生しない順番に変更するべく指示する。
【００３３】
データ更新部１２０は、作業手順データ格納部１１０に格納された作業手順データ及び作業手順データ送信部１１２によって送信された作業手順データを更新する。データ更新部１２０は、作業工程データ格納部１０４に格納されている作業工程データが作業工程データ変更部１１６によって変更された場合に、変更された作業工程データの変更内容に対応させて、変更された作業工程データを用いて生成された作業手順データを更新する。
【００３４】
また、データ更新部１２０は、作業部品データ格納部１０２に格納されている作業部品データが作業部品データ変更部１１４によって変更された場合に、変更された作業部品データを用いて生成された作業手順データを更新する。作業部品データを用いて生成された作業手順データとは、当該作業部品データが示す単位作業の作業内容を含む作業工程の作業内容を含む作業工程データを用いて生成された作業手順データであってよい。
【００３５】
また、データ更新部１２０は、作業手順データ変更部１１８によって、工程データグループに含まれる複数の作業工程データの順番が変更された場合に、変更された工程データグループの変更内容に対応させて、変更された工程データグループを用いて生成された作業手順データを更新する。変更された工程データグループの変更内容に対応させて変更された工程データグループを用いて生成された作業手順データを更新するとは、変更された工程データグループと同じように、作業手順データ内の、工程データグループに対応する箇所における作業工程データの順番を変更することであってよい。
【００３６】
データ更新部１２０は、作業手順データ送信部１１２によって送信された作業手順データを更新する場合、当該作業手順データの手順データ識別情報に対応付けて記憶された送信先に対して、当該作業手順データを更新する更新指示データを送信してよい。
【００３７】
作業手順データ特定部１２２は、作業手順データ格納部１１０に格納された複数の作業手順データのうち、対応する作業が現在実施されている作業手順データを特定する。作業手順データ特定部１２２は、例えば、対応する作業が実施されている作業手順データの手順データ識別情報を、情報端末２００から受信することによって、対応する作業が実施されている作業手順データを特定してよい。
【００３８】
情報端末２００は、作業者の入力に基づいて、対応する作業が実施されている作業手順データの手順データ識別情報を作業手順管理装置１００に送信してよい。例えば、情報端末２００は、作業者から、作業の実施を開始する旨の入力を受け付けた作業手順データについて、手順データ識別情報を作業手順管理装置１００に送信する。また、情報端末２００は、作業の終了を示す入力を受け付けた場合に、作業が終了したことを示す情報を作業手順管理装置１００に送信する。
【００３９】
作業停止制御部１２４は、作業手順データ特定部１２２によって特定された作業手順データを生成するために用いられた少なくともいずれかの作業工程データが、作業工程データ変更部１１６によって変更された場合に、特定された作業手順データに対応する作業を停止させる。作業停止制御部１２４は、特定された作業手順データに対応する作業を停止する旨を示すデータを、対応する作業が実施されている作業手順データの手順データ識別情報を送信した情報端末２００に対して送信してよい。作業停止制御部１２４は、実施されている作業が、情報端末２００を用いて実施されている作業である場合、情報端末２００による作業の実施を強制停止させるべく、情報端末２００を制御してもよい。
【００４０】
図３は、作業部品データテーブル１３０の一例を概略的に示す。作業部品データ格納部１０２は、複数の作業部品データを、作業部品データテーブル１３０の形式で格納してよい。また、作業部品データ格納部１０２は、作業部品データテーブル１３０とは別に、複数の作業部品データを格納してもよい。その場合、作業部品データテーブル１３０は、複数の作業部品データを管理するために利用されてよい。
【００４１】
作業部品データテーブル１３０は、部品名欄１３２、作業可否欄１３４及び作業内容欄１３６を有する。部品名欄１３２には、作業部品データの部品名が登録されてよい。
【００４２】
作業可否欄１３４には、作業部品データが示す作業内容の実施の可否が登録されてよい。作業可否欄１３４に登録されたデータは、作業可否データの一例であってよい。
【００４３】
例えば、作業部品データ格納部１０２に格納された作業部品データのうち、実績のある作業部品データには作業可が登録される。実績のある作業部品データが示す作業内容を実施した結果、不具合が発生した場合、当該作業部品データに対して作業不可が登録される。
【００４４】
また、例えば、作業部品データ格納部１０２に格納された作業部品データのうち、実績のない作業部品データには作業不可が登録される。実績のない作業部品データについては、例えば、当該作業部品データが示す作業内容を実験環境等において実施して、不具合が発生しないことなどが確認された後に、実績ありとされる。
【００４５】
作業内容欄１３６には、作業部品データが示す単位作業の作業内容が登録されてよい。作業内容欄１３６に登録される作業内容は、作業を指示するテキストを含んでよく、また、作業を説明するテキストを含んでもよい。また、作業内容欄１３６に登録される作業内容は、作業を指示する画像を含んでよく、また、作業を説明する画像を含んでもよい。作業内容欄１３６には、例えば、画像の保存場所を示すパスが登録される。また、作業内容欄１３６に登録される作業内容は、作業を指示する音声を含んでよく、また、作業を説明する音声を含んでもよい。作業内容欄１３６には、例えば、音声の保存場所を示すパスが登録される。
【００４６】
図４は、作業工程データテーブル１４０の一例を概略的に示す。作業工程データ格納部１０４は、複数の作業工程データを、作業工程データテーブル１４０の形式で格納してよい。また、作業工程データ格納部１０４は、作業工程データテーブル１４０とは別に、複数の作業工程データを格納してもよい。その場合、作業工程データテーブル１４０は、複数の作業工程データを管理するために利用されてよい。
【００４７】
作業工程データテーブル１４０は、工程名欄１４２、作業可否欄１４４及び作業内容欄１４６を有する。工程名欄１４２には、作業工程データの工程名が登録されてよい。
【００４８】
作業可否欄１４４には、作業工程データが示す作業内容の実施の可否が登録されてよい。作業可否欄１４４に登録されたデータは、作業可否データの一例であってよい。
【００４９】
例えば、作業工程データ格納部１０４に格納された作業工程データのうち、実績のある作業工程データには作業可が登録される。実績のある作業工程データが示す作業内容を実施した結果、不具合が発生した場合、当該作業工程データに対して作業不可が登録される。
【００５０】
また、例えば、作業工程データ格納部１０４に格納された作業工程データのうち、実績のない作業工程データには作業不可が登録される。実績のない作業工程データについては、例えば、当該作業工程データが示す作業内容を実験環境等において実施して、不具合が発生しないことなどが確認された後に、実績ありとされる。
【００５１】
また、例えば、作業工程データが示す作業内容に含まれる複数の単位作業に対応する作業部品データのすべてに作業可が対応付けられていた場合、作業可が登録される。また、例えば、作業工程データが示す作業内容に含まれる複数の単位作業に対応する作業部品データのうち、少なくともいずれかに作業不可が対応付けられている場合、作業不可が登録されてよい。
【００５２】
作業内容欄１４６には、作業工程データが示す作業内容が登録されてよい。図４は、作業工程データが示す作業内容に含まれる複数の単位作業のそれぞれに対応する複数の作業部品データの部品名が登録されている場合について例示している。
【００５３】
図５は、作業手順データテーブル１５０の一例を概略的に示す。作業手順データ格納部１１０は、複数の作業手順データを、作業手順データテーブル１５０の形式で格納してよい。また、作業手順データ格納部１１０は、作業手順データテーブル１５０とは別に、複数の作業手順データを格納してもよい。その場合、作業手順データテーブル１５０は、複数の作業手順データを管理するために利用されてよい。
【００５４】
作業手順データテーブル１５０は、手順名欄１５２、作業可否欄１５４及び作業内容欄１５６を有する。手順名欄１５２には、作業手順データの手順名が登録されてよい。
【００５５】
作業可否欄１５４には、作業手順データが示す作業内容の実施の可否が登録されてよい。作業可否欄１５４に登録されたデータは、作業可否データの一例であってよい。
【００５６】
例えば、作業手順データ格納部１１０に格納された作業手順データのうち、実績のある作業手順データには作業可が登録される。実績のある作業手順データが示す作業内容を実施した結果、不具合が発生した場合には、当該作業手順データに対して作業不可が登録される。
【００５７】
また、例えば、作業手順データ格納部１１０に格納された作業手順程データのうち、実績のない作業手順データには作業不可が登録される。実績のない作業手順データについては、例えば、当該作業手順データが示す作業内容を実験環境等において実施して、不具合が発生しないことなどが確認された後に、実績ありとされる。
【００５８】
また、例えば、作業手順データを生成するために用いられた全ての作業工程データに対して作業可が登録されていた場合、当該作業手順データに対して、作業可が登録される。また、例えば、作業手順データを生成するために用いられた少なくともいずれかの作業工程データに対して作業不可が登録されていた場合、当該作業手順データに対して、作業不可が登録される。
【００５９】
作業内容欄１５６には、作業手順データが示す作業内容が登録されてよい。図５は、作業手順データを生成するために用いられた複数の作業工程データのそれぞれの工程名が登録されている場合について例示している。
【００６０】
図６は、作業手順管理装置１００による処理の流れの一例を概略的に示す。ここでは、作業手順管理装置１００が、作業部品データ、作業工程データ及び工程データグループの少なくともいずれかの変更を待ち受けている状態を開始状態として説明する。図６に示す各処理は、作業手順管理装置１００が備える制御部が主体となって実行される。
【００６１】
ステップ６０２（ステップをＳと省略して記載する場合がある。）では、作業部品データ格納部１０２に格納された複数の作業部品データのいずれかが変更されたか否かを判定する。Ｓ６０２で、変更されたと判定された場合、Ｓ６０８に進み、変更されたと判定されなかった場合、Ｓ６０４に進む。
【００６２】
Ｓ６０４では、作業工程データ格納部１０４に格納された複数の作業工程データのいずれかが変更されたか否かを判定する。Ｓ６０４で、変更されたと判定された場合、Ｓ６０８に進み、変更されたと判定されなかった場合、Ｓ６０６に進む。
【００６３】
Ｓ６０６では、作業手順データ格納部１１０に格納された複数の作業手順データのいずれかに含まれる工程データグループのいずれかの工程データグループに含まれる複数の作業工程データの順番が変更されたか否かを判定する。Ｓ６０６で、変更されたと判定された場合、Ｓ６０８に進み、変更されたと判定されなかった場合、Ｓ６１６に進む。
【００６４】
Ｓ６０８では、データ更新部１２０が、更新対象の作業手順データを選択する。Ｓ６０２で作業部品データが変更されたと判定された場合、データ更新部１２０は、変更された作業部品データを用いて生成された作業手順データを選択する。また、Ｓ６０４で作業工程データが変更されたと判定された場合、データ更新部１２０は、変更された作業工程データを用いて生成された作業手順データを選択する。また、Ｓ６０６で工程データグループの順番が変更されたと判定された場合、データ更新部１２０は、変更された工程データグループを用いて生成された作業手順データを選択する。
【００６５】
Ｓ６１０では、データ更新部１２０が、Ｓ６０８で選択した作業手順データを更新する。Ｓ６０２で作業部品データが変更されたと判定された場合、データ更新部１２０は、変更された作業部品データの変更内容に対応させて、Ｓ６０８で選択した作業手順データを更新する。また、Ｓ６０４で作業工程データが変更されたと判定された場合、データ更新部１２０は、変更された作業工程データの変更内容に対応させて、Ｓ６０８で選択した作業手順データを選択する。また、Ｓ６０６で工程データグループの順番が変更されたと判定された場合、データ更新部１２０は、変更された工程データグループの変更内容に対応させて、Ｓ６０８で選択された作業手順データを選択する。
【００６６】
Ｓ６１２では、作業手順データ特定部１２２が、Ｓ６１０で更新された作業手順データに対応する作業が実施されているか否かを判定する。Ｓ６１２で、実施されていると判定された場合、Ｓ６１４に進み、実施されていると判定されなかった場合、Ｓ６１６に進む。
【００６７】
Ｓ６１４では、作業停止制御部１２４が、Ｓ６１０で更新された作業手順データに対応する作業を停止させる処理を実行する。Ｓ６１６では、終了指示を受領したか否かを判定する。Ｓ６１６で、終了指示を受領していないと判定した場合、Ｓ６０２に戻り、受領したと判定した場合、処理を終了する。
【００６８】
以上の説明において、作業手順管理装置１００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、作業手順管理装置１００として機能してもよい。プログラムは、コンピュータ読み取り可能な媒体又はネットワークに接続された記憶装置から、作業手順管理装置１００の少なくとも一部を構成するコンピュータにインストールされてよい。
【００６９】
コンピュータにインストールされ、コンピュータを本実施形態に係る作業手順管理装置１００として機能させるプログラムは、ＣＰＵ等に働きかけて、コンピュータを、作業手順管理装置１００の各部としてそれぞれ機能させる。これらのプログラムに記述された情報処理は、コンピュータに読込まれることにより、ソフトウエアと作業手順管理装置１００のハードウエア資源とが協働した具体的手段として機能する。
【００７０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７１】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００７２】
１０  ネットワーク、１００  作業手順管理装置、１０２  作業部品データ格納部、１０４  作業工程データ格納部、１０６  作業手順データ生成部、１１０  作業手順データ格納部、１１２  作業手順データ送信部、１１４  作業部品データ変更部、１１６  作業工程データ変更部、１１８  作業手順データ変更部、１２０  データ更新部、１２２  作業手順データ特定部、１２４  作業停止制御部、１３０  作業部品データテーブル、１３２  部品名欄、１３４  作業可否欄、１３６  作業内容欄、１４０  作業工程データテーブル、１４２  工程名欄、１４４  作業可否欄、１４６  作業内容欄、１５０  作業手順データテーブル、１５２  手順名欄、１５４  作業可否欄、１５６  作業内容欄、２００  情報端末
【図１】
0006277104.tif 000002
【図２】
0006277104.tif 000003
【図３】
0006277104.tif 000004
【図４】
0006277104.tif 000005
【図５】
0006277104.tif 000006
【図６】
0006277104.tif 000007